(57)【要約】【課題】農作物の培地を露出させる孔を極力小さくし、農作物の苗の周りの培地の露出部を極力小さくする。【解決手段】農作物用マルチシートの小マルチシート（１１）は、作物通過孔（２２）が大マルチシート（１２）の作物植付孔（２１）の内部に配置された状態にて、作物通過孔（２２）の部分を除き、一つの作物植付孔（２１）内の全ての領域を塞ぐ。【選択図】図１
2016015902.tif 000002
【特許請求の範囲】
【請求項１】
農作物の培地の上に配置される、複数の作物植付孔を有する大マルチシートと組み合わせて使用される小マルチシートを備えた農作物用マルチシートであって、
前記小マルチシートは、前記作物植付孔よりも小さい大きさの作物通過孔を有し、かつ前記作物通過孔が前記作物植付孔の内部に配置された状態にて、前記作物通過孔の部分を除き、前記作物通過孔以外の領域にて一つの前記作物植付孔内の全ての領域を塞ぐようになっていることを特徴とする農作物用マルチシート。
【請求項２】
前記小マルチシートは、前記作物植付孔の周に対して前記作物通過孔の周が前記作物植付孔の内側から接するように配置された全ての場合において、前記作物通過孔の部分を除き、前記作物通過孔以外の領域にて一つの前記作物植付孔内の全ての領域を塞ぐように形成されていることを特徴とする請求項１に記載の農作物用マルチシート。
【請求項３】
前記小マルチシートは、前記作物通過孔から前記小マルチシートの端縁部に亘って、小マルチシート内の領域を分断する切れ目を有していることを特徴とする請求項１または２に記載の農作物用マルチシート。
【請求項４】
複数の作物植付孔を有する大マルチシートと、前記作物植付孔よりも小さい大きさの作物通過孔を有する小マルチシートとを備えた農作物用マルチシートを使用し、
茎部が前記作物通過孔を通過した状態に前記小マルチシートが配置された複数の苗を前記小マルチシートと共に農作物の培地に植え付ける工程と、
前記作物植付孔から前記苗が露出し、かつ１枚の前記小マルチシートにより一つの前記作物植付孔内の前記作物通過孔の部分を除く全ての領域が塞がれるように、前記培地の上に前記大マルチシートを配置する工程とを備えていることを特徴とする農作物の栽培方法。
【請求項５】
複数の作物植付孔を有する大マルチシートと、前記作物植付孔よりも小さい大きさの作物通過孔を有する小マルチシートとを備えた農作物用マルチシートを使用し、
農作物の培地に前記大マルチシートを配置する工程と、
前記大マルチシートの前記の各作物植付孔から前記培地に、茎部が前記作物通過孔を通過した状態に前記小マルチシートが配置された苗を前記小マルチシートと共に植え付け、かつ１枚の前記小マルチシートにより一つの前記作物植付孔内の前記作物通過孔の部分を除く全ての領域が塞がれるように、前記小マルチシートを配置する工程とを備えていることを特徴とする農作物の栽培方法。
【請求項６】
複数の作物植付孔を有する大マルチシートと、前記作物植付孔よりも小さい大きさの作物通過孔、および前記作物通過孔から前記小マルチシートの端縁部に亘って前記小マルチシート内の領域を分断する切れ目を有する小マルチシートとを備えた農作物用マルチシートを使用し、
農作物の培地に前記大マルチシートを配置する工程と、
前記大マルチシートの前記の各作物植付孔から前記培地に苗を植え付ける工程と、
前記苗の茎部が前記作物通過孔を通過した状態に、かつ１枚の前記小マルチシートにより一つの前記作物植付孔内の前記作物通過孔の部分を除く全ての領域が塞がれるように、前記小マルチシートを配置する工程とを備えていることを特徴とする農作物の栽培方法。
【発明の詳細な説明】
【技術分野】
【０００１】
本発明は、農作物の栽培に使用される農作物用マルチシート、およびそれを使用した農作物の栽培方法に関する。
【背景技術】
【０００２】
イチゴの栽培をはじめ、多くの農作物の栽培にはマルチシートが使用されている。マルチシートを使用する目的は、土壌の保温、土壌の殺菌、土壌における藻類の繁殖防止、および光の有効利用等である。さらには、例えば降雨や散水の際の培地から水跳ね（泥はね）により、培地に含まれる病原菌が農作物（例えば農作物の苗）に付着することの防止、すなわち病原菌が農作物に付着して農作物が病気になることの防止である。
【０００３】
例えば特許文献１には、農作物を栽培する畝の全体を覆う長尺マルチシート、およびこの長尺マルチシートの上に配置されるシート体を備えた構成が開示されている。シート体の幅方向の中央部には、シート体の幅方向に沿って延びる作物貫通孔がシート体の長手方向に並んで形成されている。
【０００４】
これら、長尺マルチシートおよびシート体は次のようにして使用される。まず、畝の上に長尺マルチシートを配置し、長尺マルチシートに農作物を露出させるための作物植付孔を形成する。次に、長尺マルチシートの作物植付孔から露出した畝の位置に、農作物の種または苗を植える。次に、マルチシートの上にシート体を配置する。この場合、シート体は、作物貫通孔がマルチシートの作物植付孔と対向するように配置する。
【先行技術文献】
【特許文献】
【０００５】
【特許文献１】特開２０１４−２３４４０号公報（２０１４年４月６日公開）
【発明の概要】
【発明が解決しようとする課題】
【０００６】
ここで、農作物の培地に藻類が繁殖した場合には、培地に菌類が繁殖し易くなること、培地に配置した給水管の給水孔が藻類によって目詰まりし易くなること、培地の養分が藻類によって奪われること、および藻類の存在によって培地の状態を観察し辛くなること等の問題が生じる。
【０００７】
このような問題を生じる藻類の繁殖は、培地への光の照射によって生じる。したがって、マルチシートにより培地での藻類の繁殖を防止するためには、マルチシートに形成する培地を露出させる孔、すなわち特許文献１の作物貫通孔に相当する孔は、極力小さくすることが好ましい。このような構成とすることは、培地からの水跳ね（泥はね）による農作物への病原菌の付着を防止する上においても好ましい。
【０００８】
しかしながら、特許文献１に記載の長尺マルチシートおよびシート体を備えた構成は、作物貫通孔を極力小さくすることについて考慮されておらず、上記のような問題を解決することができない。
【０００９】
したがって、本発明は、マルチシートに形成する、農作物の培地を露出させる孔を極力小さくし、農作物の周りの培地の露出部を極力小さくすることができる農作物用マルチシートおよび農作物の栽培方法の提供を目的としている。
【課題を解決するための手段】
【００１０】
上記の課題を解決するために、本発明の一態様に係る農作物用マルチシートは、農作物の培地の上に配置される、複数の作物植付孔を有する大マルチシートと組み合わせて使用される小マルチシートを備えた農作物用マルチシートであって、前記小マルチシートは、前記作物植付孔よりも小さい大きさの作物通過孔を有し、かつ前記作物通過孔が前記作物植付孔の内部に配置された状態にて、前記作物通過孔の部分を除き、前記作物通過孔以外の領域にて一つの前記作物植付孔内の全ての領域を塞ぐようになっている。
【発明の効果】
【００１１】
本発明の一態様によれば、農作物の培地を露出させる孔を極力小さくし、農作物の苗の周りの培地の露出部を極力小さくすることができる。
【図面の簡単な説明】
【００１２】
【図１】本発明の実施の形態の農作物用マルチシートの使用形態を示す斜視図である。
【図２】図２の（ａ）は、図１に示した小マルチシートの寸法の一例を示す平面図、図２の（ｂ）は図１に示した大マルチシートの寸法の一例を示す平面図である。
【図３】図１に示した小マルチシートの寸法と大マルチシートの作物植付孔の寸法との関係を示す説明図である。
【図４】図４の（ａ）は、本発明の実施の形態の農作物用マルチシートを使用した農作物の栽培方法において、農作物としてのイチゴの親株から伸びた複数のランナに生じた複数の子株をそれぞれ育苗ポットに採苗した状態を示す斜視図、図４の（ｂ）は、図４の（ａ）に示した一つの育苗ポットを拡大して示す斜視図、図４の（ｃ）は、育苗ポットの子株に小マルチシートを取り付ける作業を示す斜視図、図４の（ｄ）は、図４の（ｃ）の状態から、育苗ポットの子株への小マルチシートの取り付けを完了した状態を示す斜視図である。
【図５】図５の（ａ）は、本発明の実施の形態の農作物用マルチシートを使用した農作物の栽培方法において、イチゴの苗をプランタに定植する際に、プランタ内の培地に定植用の穴を形成した状態を示す斜視図、図５の（ｂ）は、育苗ポットからイチゴの苗を取り出した状態を示す斜視図、図５の（ｃ）は、培地の穴に苗を定植する状態を示す斜視図、図５の（ｄ）は、培地の穴に苗を定植した状態を示す斜視図、図５の（ｅ）は、苗が定植された培地の上に大マルチシートを配置する状態を示す斜視図、図５の（ｆ）は、培地の上への大マルチシートの配置が完了した状態を示す斜視図である。
【図６】図６の（ａ）は、本発明の他の実施の形態の農作物用マルチシートを使用した農作物の栽培方法において、イチゴの苗をプランタに定植（移植）する際に、プランタの培地に定植用の穴を形成した状態を示す斜視図、図６の（ｂ）は、プランタの培地の上に大マルチシートを配置する状態を示す斜視図、図６の（ｃ）は、大マルチシートの作物植付孔から、培地の穴に苗を定植する状態を示す斜視図、図６の（ｄ）は、プランタへの苗の定植が完了した状態を示す斜視図である。
【図７】図７の（ａ）は、イチゴの種が発芽している育苗ポットに対して、切れ目を有していない小マルチシートを配置した状態を示す斜視図、図７の（ｂ）は、発芽したイチゴが定植可能な苗の状態まで生育した状態を示す斜視図である。
【発明を実施するための形態】
【００１３】
〔実施の形態１〕
本発明の実施の形態を図面に基づいて以下に説明する。
図１は、本実施の形態の農作物用マルチシートの使用形態を示す斜視図である。図２の（ａ）は、図１に示した小マルチシートの寸法の一例を示す平面図、図２の（ｂ）は図１に示した大マルチシートの寸法の一例を示す平面図である。
【００１４】
図１に示すように、農作物用マルチシート１は、小マルチシート１１および大マルチシート１２を備えている。農作物用マルチシート１は、例えばプランタ２での農作物の栽培に使用される。プランタ２には培地３となる例えばロックウールが収容され、小マルチシート１１および大マルチシート１２は培地３の上に配置される。なお、培地３は、ロックウールに限らず、土やその他の周知の培地の材料からなるものであってもよい。また、培地３の上には、プランタ２に定植された農作物への給水のための給水菅（図示せず）が配置される。
【００１５】
大マルチシート１２は、例えばプランタ２の内側の長さおよび幅に対応した長さおよび幅を有する帯状に形成されている。大マルチシート１２には、複数の例えば円形の作物植付孔２１が形成されている。本実施の形態において、作物植付孔２１は、大マルチシート１２の長手方向に２列に形成され、隣り合う列の作物植付孔２１同士が大マルチシート１２の幅方向に並ばないように、チドリ状に形成されている。
【００１６】
なお、作物植付孔２１の数、配置形態および形状は特に限定されず、大マルチシート１２の使用形態や使用対象の農作物の種類等に応じて適宜設定すればよい。大マルチシート１２の材質は、遮光性を有する周知のマルチシートの材質と同様のものであってもよい。例えば、高い遮光性を得るために、ポリエチレンなどの樹脂シートの表面にアルミニウムを蒸着したものであってもよい。なお、大マルチシート１２が発泡樹脂シートからなる場合、培地３に対する保温性が得やすい点で好ましい。
【００１７】
小マルチシート１１は、大マルチシート１２の各作物植付孔２１に対応して設けられる小片のマルチシートであり、作物植付孔２１を塞ぐように、大マルチシート１２の下または上に配置される。なお、小マルチシート１１は、予備を含む、大マルチシート１２の作物植付孔２１の数以上の枚数備えられていることが好ましい。
【００１８】
小マルチシート１１は、例えば正方形に形成され、中心部に小孔である作物通過孔２２を有する。作物通過孔２２は、使用対象の農作物に応じて、極力小さく形成されることが好ましい。例えば、作物通過孔２２は、小マルチシート１１を使用する農作物の茎（茎部）の径（農作物を収穫する段階での茎の径）よりも若干大き目の径に形成されることが好ましい。さらに、小マルチシート１１は、作物通過孔２２から小マルチシート１１の端縁部に亘って、小マルチシート１１内の領域を分断する切れ目（スリット）２３が形成されている。
【００１９】
なお、小マルチシート１１の形状は特に限定されず、大マルチシート１２の作物植付孔２１の形状と同じ形状であってもよい。また、小マルチシート１１の材質は、大マルチシート１２の材質と同様のもの、即ち遮光性を有する周知のマルチシートの材質と同様のものであってもよい。あるいは、小マルチシート１１はプラスチック製のシートであってもよい。小マルチシート１１がプラスチック製のシートである場合、小マルチシート１１の外端部側を育苗ポット（育苗容器）３４の側面に接するように折り曲げることにより、小マルチシート１１を育苗ポット３４に固定し易い点で好ましい。
【００２０】
小マルチシート１１および大マルチシート１２の寸法の一例を示せば図２の（ａ）および（ｂ）のようになる。図３は、小マルチシート１１の寸法と大マルチシート１２の作物植付孔２１の寸法との関係を示す説明図である。
【００２１】
小マルチシート１１と作物植付孔２１との関係は、図３に示すように、小マルチシート１１の作物通過孔２２が大マルチシート１２の作物植付孔２１の内部に配置された状態にて、作物通過孔２２の部分を除き、小マルチシート１１が作物通過孔２２以外の領域にて一つの作物植付孔２１内の全ての領域を塞ぐようになっている。
【００２２】
また、小マルチシート１１と作物植付孔２１との関係は、小マルチシート１１が、作物植付孔２１の周に対して作物通過孔２２の周が内側から接するように配置された全ての場合において、作物通過孔２２の部分を除き、作物通過孔２２以外の領域にて一つの作物植付孔２１内の全ての領域を塞ぐように形成されていることが好ましい。この場合の小マルチシート１１と作物植付孔２１との具体的な関係は、作物植付孔２１に対して作物通過孔２２が内側から接する全ての場合において、作物植付孔２１と作物通過孔２２との接点Ｐから小マルチシート１１の端縁部に達する線分の長さＬ１が、上記接点Ｐから作物植付孔２１の周に達する線分Ｌ２の長さよりも長いことである。
【００２３】
上記の構成において、農作物用マルチシート１を使用する農作物の栽培方法について以下に説明する。以下では、農作物がイチゴである場合を例に説明する。
【００２４】
農作物用マルチシート１を使用した農作物の栽培において、育苗ポットにて農作物すなわちイチゴの苗を栽培する場合には、小マルチシート１１のみが使用される。この場合のイチゴの苗の栽培は、図４の（ａ）から（ｄ）の手順にて行われる。
【００２５】
図４の（ａ）は、農作物としてのイチゴの親株から伸びた複数のランナに生じた複数の子株をそれぞれ育苗ポットに採苗した状態を示す斜視図、図４の（ｂ）は、図４の（ａ）に示した一つの育苗ポットを拡大して示す斜視図、図４の（ｃ）は、育苗ポットの子株に小マルチシートを取り付ける作業を示す斜視図、図４の（ｄ）は、図４の（ｃ）の状態から、育苗ポットの子株への小マルチシートの取り付けを完了した状態を示す斜視図である。
【００２６】
育苗ポット３４にてイチゴの苗を栽培する場合には、まず、図４の（ａ）および（ｂ）に示すように、イチゴの親株３１から伸びた複数のランナ３２に生じた複数の子株をそれぞれイチゴの苗３３として育苗ポット３４に採苗する。
【００２７】
次に、図４の（ｃ）に示すように、育苗ポット３４の苗３３に小マルチシート１１を取り付ける。この場合には、小マルチシート１１を切れ目２３から左右に開いて、イチゴの苗３３の横方向から苗３３の茎が小マルチシート１１の作物通過孔２２を通るようにして、小マルチシート１１を苗３３に配置する。
【００２８】
なお、育苗ポット３４の苗３３に配置した小マルチシート１１が例えば空調設備の風によってはためき、苗３３の生育に悪影響を及ぼす場合、小マルチシート１１は、育苗ポット３４の苗３３をプランタ２に定植する前に育苗ポット３４の苗３３に配置するようにしてもよい。
【００２９】
イチゴの苗３３に小マルチシート１１を配置した状態は、図４の（ｄ）ようになる。この状態にて、育苗ポット３４にてイチゴの苗３３を所望の大きさ（定植可能な大きさ）になるまで育てる。なお、ランナ３２は苗３３が生育した適当な時期に切断する。
【００３０】
図４の（ｄ）の状態において、イチゴの苗３３が所望の大きさに育つと、育苗ポット３４の苗３３をプランタ２に定植（移植）する。この場合の作業は、図５の（ａ）から（ｆ）の手順にて行われる。この場合には、小マルチシート１１に加えて大マルチシート１２が使用される。
【００３１】
図５の（ａ）は、イチゴの苗３３をプランタ２に定植（移植）する際に、プランタ２内の培地３に定植用の穴を形成した状態を示す斜視図、図５の（ｂ）は、育苗ポット３４からイチゴの苗３３を取り出した状態を示す斜視図、図５の（ｃ）は、培地３の穴に苗３３を定植する状態を示す斜視図、図５の（ｄ）は、培地３の穴に苗３３を定植した状態を示す斜視図、図５の（ｅ）は、苗３３が定植された培地３の上に大マルチシート１２を配置する状態を示す斜視図、図５の（ｆ）は、培地３の上への大マルチシート１２の配置が完了した状態を示す斜視図である。
【００３２】
育苗ポット３４のイチゴの苗３３をプランタ２に定植（移植）する場合には、まず、図５の（ａ）に示すように、プランタ２内の培地３に大マルチシート１２の作物植付孔２１と同じピッチにて定植用の穴３５を形成する。
【００３３】
次に、図５の（ｂ）から（ｄ）に示すように、育苗ポット３４からイチゴの苗３３を取り出し、培地３の穴３５に苗３３を定植する。この場合、小マルチシート１１は苗３３に付けたままである。
【００３４】
次に、図５の（ｅ）および（ｆ）に示すように、苗３３が定植された培地３の上に大マルチシート１２を配置する。この場合、苗３３は大マルチシート１２の作物植付孔２１を通過して大マルチシート１２から露出し、大マルチシート１２の作物植付孔２１は下から小マルチシート１１によって塞がれる。
【００３５】
上記のように、農作物用マルチシート１を使用した農作物の栽培においては、育苗ポット３４での苗３３の育苗段階において、育苗ポット３４の苗３３に小マルチシート１１を配置している。これにより、育苗ポット３４内の培地での藻類の繁殖を抑制することができる。また、育苗ポット３４内の培地の乾燥を防止することができる。また、小マルチシート１１を配置することが苗３３に対する病害虫対策となる。また、小マルチシート１１によって育苗ポット３４内の培地の保温効果が得られる。
【００３６】
また、プランタ２の培地３に育苗ポット３４の苗３３を定植した状態では、大マルチシート１２の作物植付孔２１が小マルチシート１１によって塞がれる。したがって、プランタ２の培地３は、小マルチシート１１の小孔である作物通過孔２２のみから露出する。この作物通過孔２２は、小マルチシート１１の使用対象の農作物に応じて極力小さく形成することができる。これにより、プランタ２の培地３への光の照射が最小限に抑制され、プランタ２の培地３での藻類の繁殖を適切に抑制することができる。また、培地からの水跳ねによる苗３３への病原菌の付着を適切に抑制することができる。
【００３７】
したがって、培地３に藻類が繁殖することに起因した、培地に菌類が繁殖し易くなる事態、培地に配置した給水管の給水孔が藻類によって目詰まりし易くなる事態、培地の養分が藻類によって奪われる事態、および藻類の存在によって培地の状態が観察し辛くなる事態等を防止することができる。苗３３に病原菌が付着することにより苗３３が病気になる事態を防止することができる。
【００３８】
特に、小マルチシート１１と作物植付孔２１との関係が、作物植付孔２１に対して作物通過孔２２が内側から接する全ての場合において、作物植付孔２１が小マルチシート１１によって塞がれるようになっている場合には、プランタ２に定植された苗３３の中心と大マルチシート１２の作物植付孔２１の中心とがずれている場合であっても、苗３３に配置された小マルチシート１１によって大マルチシート１２の作物植付孔２１を確実に塞ぐことができる。
【００３９】
さらに、小マルチシート１１は、作物通過孔２２から小マルチシート１１の端縁部に亘って、小マルチシート１１内の領域を分断する切れ目２３が形成されているので、苗３３に対して小マルチシート１１を容易に配置することができる。
【００４０】
また、小マルチシート１１は大マルチシート１２の下に配置され、大マルチシート１２によって押さえられているので、風による小マルチシート１１のばたつき、すなわち小マルチシート１１がばたつくことによる苗３３への悪影響を防止することができる。例えば、植物工場での農作物の栽培においては、空調設備によって空気を循環させており、苗３３の周りに風が発生している。したがって、植物工場での風による小マルチシート１１がばたつく問題を解消することができる。
【００４１】
なお、プランタ２において小マルチシート１１および大マルチシート１２を使用することにより得られる他の効果は、育苗ポット３４の苗３３に小マルチシート１１を配置した場合の上述した効果と同様である。
【００４２】
また、上記の実施の形態では、小マルチシート１１の使用形態として、小マルチシート１１を育苗ポット３４にて育苗される農作物に対して配置する使用形態を示した。しかしながら、小マルチシート１１の使用形態はこれに限定されない。例えば、農作物の苗を定植用の培地に定植する際に、苗に対して小マルチシート１１を配置し、苗を小マルチシート１１と共に定植用の培地に定植する使用形態であってもよい。この点は、後述の実施の形態においても同様である。
【００４３】
また、農作物用マルチシート１を使用した栽培方法は、イチゴ以外に、茎の部分が肥大化しない農作物に適用可能である。また、農作物用マルチシート１を使用した栽培方法は、プランタ２を使用した農作物の栽培以外に、土の畝による路地栽培あるいは屋内栽培にも適用可能である。これらの点は、後述の実施の形態においても同様である。
〔実施の形態２〕
本発明の他の実施の形態を図面に基づいて以下に説明する。なお、説明の便宜上、前記の実施の形態にて説明した部材と同じ機能を有する部材については、同じ符号を付記し、その説明を省略する。
【００４４】
前記の実施の形態では、小マルチシート１１が大マルチシート１２の下に配置される場合の農作物用マルチシート１の使用形態について説明した。本実施の形態では、小マルチシート１１が大マルチシート１２の上に配置される場合の農作物用マルチシート１の使用形態について説明する。
【００４５】
イチゴの苗３３は、前記の図４の（ａ）〜（ｄ）に示した手順にて育苗ポット３４にて栽培する。イチゴの苗３３が所望の大きさに育つと、育苗ポット３４の苗３３をプランタ２に定植する。この場合の作業は、図６の（ａ）から（ｄ）の手順にて行う。この場合には、同様に、小マルチシート１１に加えて大マルチシート１２を使用する。
【００４６】
図６の（ａ）は、イチゴの苗３３をプランタ２に定植（移植）する際に、プランタ２内の培地３に定植用の穴を形成した状態を示す斜視図、図６の（ｂ）は、プランタ２の培地３の上に大マルチシート１２を配置する状態を示す斜視図、図６の（ｃ）は、大マルチシート１２の作物植付孔２１から、培地３の穴に苗３３を定植する状態を示す斜視図、図６の（ｄ）は、プランタ２への苗３３の定植が完了した状態を示す斜視図である。
【００４７】
育苗ポット３４のイチゴの苗３３をプランタ２に定植（移植）する場合には、まず、図６の（ａ）に示すように、プランタ２内の培地３に大マルチシート１２の作物植付孔２１と同じピッチにて定植用の穴３５を形成する。
【００４８】
次に、図６の（ｂ）に示すように、プランタ２の培地３の上に、培地３の穴３５と作物植付孔２１とが一致するように、大マルチシート１２を配置する。
【００４９】
次に、図６の（ｃ）および（ｄ）に示すように、大マルチシート１２の作物植付孔２１から培地３の穴に、苗３３を定植する。この場合、小マルチシート１１は苗３３に付けたままである。したがって、大マルチシート１２の作物植付孔２１は、大マルチシート１２の上から小マルチシート１１によって塞がれる。
【００５０】
上記のように、小マルチシート１１は大マルチシート１２の上に配置されるので、例えば空調の風によってばたつく可能性がある。したがって、大マルチシート１２の上に配置される場合の小マルチシート１１は、プラスチック製のシート等、大マルチシート１２の下に配置される小マルチシート１１と比較して、剛性の高いものが好ましい。
【００５１】
一方、このように、小マルチシート１１が大マルチシート１２の上に配置される形態では、プランタ２の培地３上における大マルチシート１２の位置決めが容易である。また、苗３３を大マルチシート１２の作物植付孔２１から培地３の穴３５に配置する場合の苗３３の位置決めが容易である。
【００５２】
また、小マルチシート１１を捲り上げることにより、培地３の冠水状態やその他の培地３の状態を容易に確認することができる。さらに、苗３３の脇芽の手入れなど、苗３３の手入れが容易である。
【００５３】
また、収穫後の農作物を培地３および大マルチシート１２の作物植付孔２１から容易に抜き出すことができる。また、小マルチシート１１を再利用する場合、小マルチシート１１の回収が容易である。
【００５４】
本実施の形態の農作物用マルチシート１を使用した農作物の栽培方法による他の効果については、前記実施の形態の場合と同様である。
【００５５】
〔実施の形態３〕
本発明のさらに他の実施の形態を図面に基づいて以下に説明する。なお、説明の便宜上、前記の実施の形態にて説明した部材と同じ機能を有する部材については、同じ符号を付記し、その説明を省略する。
【００５６】
前記の各実施の形態では、切れ目２３を有する小マルチシート１１を備えた農作物用マルチシート１を使用する場合について説明した。本実施の形態では、切れ目２３を有していない小マルチシート１３を備えた農作物用マルチシート１を使用する場合について説明する。
【００５７】
図７の（ａ）は、イチゴの種が発芽している育苗ポット３４に対して、切れ目２３を有していない小マルチシート１３を配置した状態を示す斜視図、図７の（ｂ）は、発芽したイチゴが定植可能な苗の状態まで生育した状態を示す斜視図である。
【００５８】
図７の（ａ）に示した小マルチシート１３は、切れ目２３を有していない点を除けば前記小マルチシート１１と同様の構成である。
【００５９】
小マルチシート１３は、図７の（ａ）に示すように、例えばイチゴの種が発芽し、芽が伸びしている育苗ポット３４に対して配置する。あるいは、種が発芽する前の育苗ポット３４に配置してもよい。さらには、発芽床に種をまいて発芽した農作物を移植した育苗ポット３４に配置してもよい。
【００６０】
図７の（ｂ）に示すように、発芽したイチゴが定植可能な苗３３の状態まで生育すると、前記の各実施の形態に示した手順にて、苗３３を定植する。すなわち小マルチシート１３と共に苗３３をプランタ２に定植した後、大マルチシート１２を配置する手順、またはプランタ２に大マルチシート１２を配置した後、小マルチシート１３と共に苗３３を定植する手順にて、苗３３を定植する。
【００６１】
〔まとめ〕
本発明の態様１に係る農作物用マルチシートは、農作物の培地の上に配置される、複数の作物植付孔を有する大マルチシートと組み合わせて使用される小マルチシートを備えた農作物用マルチシートであって、前記小マルチシートは、前記作物植付孔よりも小さい大きさの作物通過孔を有し、かつ前記作物通過孔が前記作物植付孔の内部に配置された状態にて、前記作物通過孔の部分を除き、前記作物通過孔以外の領域にて一つの前記作物植付孔内の全ての領域を塞ぐようになっている。
【００６２】
上記の構成によれば、小マルチシートは、作物植付孔よりも小さい大きさの作物通過孔を有する。この小マルチシートは、農作物の茎部に配置され、作物通過孔を使用対象の農作物の茎部の径に合わせて極力小さく形成することができる。また、小マルチシートは、作物通過孔が作物植付孔の内部に配置された状態にて、作物通過孔の部分を除き、作物通過孔以外の領域にて一つの作物植付孔内の全ての領域を塞ぐようになっている。
【００６３】
これにより、農作物の培地を露出させる孔を極力小さくし、農作物の苗の周りの培地の露出部を極力小さくすることができる。
【００６４】
本発明の態様２に係る農作物用マルチシートは、上記態様１において、前記小マルチシートは、前記作物植付孔の周に対して前記作物通過孔の周が前記作物植付孔の内側から接するように配置された全ての場合において、前記作物通過孔の部分を除き、前記作物通過孔以外の領域にて一つの前記作物植付孔内の全ての領域を塞ぐように形成されている構成としてもよい。
【００６５】
上記の構成によれば、小マルチシートは、作物植付孔の周に対して作物通過孔の周が作物植付孔の内側から接するように配置された全ての場合において、作物通過孔の部分を除き、作物通過孔以外の領域にて一つの作物植付孔内の全ての領域を塞ぐことができる。
【００６６】
これにより、小マルチシートは、農作物の培地を露出させる孔を確実に極力小さくすることができる。
【００６７】
本発明の態様３に係る農作物用マルチシートは、上記態様１または２において、前記小マルチシートは、前記作物通過孔から前記小マルチシートの端縁部に亘って、小マルチシート内の領域を分断する切れ目を有している構成としてもよい。
【００６８】
上記の構成によれば、小マルチシートは、作物通過孔から小マルチシートの端縁部に亘って、小マルチシート内の領域を分断する切れ目を有しているので、切れ目から小マルチシートを開くことにより、農作物の茎部に対して小マルチシートを容易に配置することができる。
【００６９】
本発明の態様４に係る農作物用マルチシートは、上記態様１から３のいずれか１態様において、前記大マルチシートを備え、前記小マルチシートは前記大マルチシートの前記作物植付孔の数以上の枚数備えられている構成としてもよい。
【００７０】
上記の構成によれば、大マルチシートと小マルチシートとを培地に配置した状態において、大マルチシートの各作物植付孔を各作物植付孔に対応する小マルチシートによって塞ぎ、農作物の苗の周りの培地を露出させる孔を極力小さくし、農作物の苗の周りの培地の露出部を極力小さくすることができる。
【００７１】
本発明の態様５に係る農作物の栽培方法は、複数の作物植付孔を有する大マルチシートと、前記作物植付孔よりも小さい大きさの作物通過孔を有する小マルチシートとを備えた農作物用マルチシートを使用し、茎部が前記作物通過孔を通過した状態に前記小マルチシートが配置された複数の苗を前記小マルチシートと共に農作物の培地に植え付ける工程と、前記作物植付孔から前記苗が露出し、かつ１枚の前記小マルチシートにより一つの前記作物植付孔内の前記作物通過孔の部分を除く全ての領域が塞がれるように、前記培地の上に前記大マルチシートを配置する工程とを備えている。
【００７２】
上記の構成によれば、農作物の栽培の際には、茎部が作物通過孔を通過した状態に小マルチシートが配置された複数の苗を小マルチシートと共に農作物の培地に植え付ける。次に、作物植付孔から苗が露出し、かつ１枚の小マルチシートにより一つの作物植付孔内の作物通過孔の部分を除く全ての領域が塞がれるように、培地の上に大マルチシートを配置する。
【００７３】
これにより、小マルチシートの作物通過孔を使用対象の農作物の茎部の径に合わせて極力小さく形成して、農作物の培地を露出させる孔を極力小さくし、農作物の苗の周りの培地の露出部を極力小さくすることができる。
【００７４】
また、小マルチシートは、大マルチシートの下に配置され、大マルチシートによって押さえられている。したがって、風により小マルチシートがばたつき、農作物に悪影響を及ぼす事態を防止することができる。
【００７５】
本発明の態様６に係る農作物の栽培方法は、複数の作物植付孔を有する大マルチシートと、前記作物植付孔よりも小さい大きさの作物通過孔を有する小マルチシートとを備えた農作物用マルチシートを使用し、農作物の培地に前記大マルチシートを配置する工程と、前記大マルチシートの前記の各作物植付孔から前記培地に、茎部が前記作物通過孔を通過した状態に前記小マルチシートが配置された苗を前記小マルチシートと共に植え付け、かつ１枚の前記小マルチシートにより一つの前記作物植付孔内の前記作物通過孔の部分を除く全ての領域が塞がれるように、前記小マルチシートを配置する工程とを備えている。
【００７６】
上記の構成によれば、農作物の栽培の際には、農作物の培地に大マルチシートを配置する。次に、大マルチシートの各作物植付孔から培地に、茎部が作物通過孔を通過した状態に小マルチシートが配置された苗を小マルチシートと共に植え付ける。この場合には、１枚の小マルチシートにより一つの作物植付孔内の作物通過孔の部分を除く全ての領域が塞がれるように、小マルチシートを配置する。
【００７７】
これにより、小マルチシートの作物通過孔を使用対象の農作物の茎部の径に合わせて極力小さく形成して、農作物の培地を露出させる孔を極力小さくし、農作物の苗の周りの培地の露出部を極力小さくすることができる。
【００７８】
また、大マルチシートを小マルチシートすなわち苗よりも先に培地に配置するので、大マルチシートの位置決めが容易である。また、苗を大マルチシートの作物植付孔から培地に植え付ける場合の苗の位置決めが容易である。また、小マルチシートを捲り上げることにより、培地の冠水状態やその他の培地の状態の確認、および苗の脇芽の手入れなど、苗の植え付け後の手入れが容易である。
【００７９】
本発明の態様７に係る農作物の栽培方法は、上記態様５または６において、前記培地に植え付ける前記農作物の苗を前記小マルチシートが配置された状態にて育苗容器により育苗する工程を備えている構成としてもよい。
【００８０】
上記の構成によれば、農作物の苗を小マルチシートが配置された状態にて育苗容器により育苗するので、育苗容器内の培地での藻類の繁殖を抑制、育苗容器内の培地の乾燥の防止、苗に対する病害虫の発生の防止および育苗容器内の培地の保温などの各効果を得ることができる。
【００８１】
本発明の態様８に係る農作物の栽培方法は、上記態様５または６において、前記小マルチシートは、前記作物通過孔から前記小マルチシートの端縁部に亘って前記小マルチシート内の領域を分断する切れ目を有し、前記苗を前記培地に植え付ける前に、茎部が前記作物通過孔を通過した状態に前記苗に前記小マルチシートを配置する工程を備えている構成としてもよい。
【００８２】
上記の構成によれば、小マルチシートは、作物通過孔から小マルチシートの端縁部に亘って小マルチシート内の領域を分断する切れ目を有し、苗を培地に植え付ける前に、茎部が作物通過孔を通過した状態に苗に小マルチシートを配置する。
【００８３】
これにより、農作物の苗を培地に植え付ける前の適当な時期に、苗に対して小マルチシートを配置することができる。
【００８４】
本発明の態様９に係る農作物の栽培方法は、複数の作物植付孔を有する大マルチシートと、前記作物植付孔よりも小さい大きさの作物通過孔、および前記作物通過孔から前記小マルチシートの端縁部に亘って前記小マルチシート内の領域を分断する切れ目を有する小マルチシートとを備えた農作物用マルチシートを使用し、農作物の培地に前記大マルチシートを配置する工程と、前記大マルチシートの前記の各作物植付孔から前記培地に苗を植え付ける工程と、前記苗の茎部が前記作物通過孔を通過した状態に、かつ１枚の前記小マルチシートにより一つの前記作物植付孔内の前記作物通過孔の部分を除く全ての領域が塞がれるように、前記小マルチシートを配置する工程とを備えている。
【００８５】
上記の構成によれば、小マルチシートの作物通過孔を使用対象の農作物の茎部の径に合わせて極力小さく形成して、農作物の培地を露出させる孔を極力小さくし、農作物の苗の周りの培地の露出部を極力小さくすることができる。
【００８６】
また、予め小マルチシートが配置されていない農作物の苗であっても、培地への植え付け後に容易に小マルチシートを配置することができる。
【００８７】
また、大マルチシートを小マルチシートすなわち苗よりも先に培地に配置するので、大マルチシートの位置決めが容易である。また、苗を大マルチシートの作物植付孔から培地に植え付ける場合の苗の位置決めが容易である。また、小マルチシートを捲り上げることにより、培地の冠水状態やその他の培地の状態の確認、および苗の脇芽の手入れなど、苗の植え付け後の手入れが容易である。
【００８８】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。さらに、各実施形態にそれぞれ開示された技術的手段を組み合わせることにより、新しい技術的特徴を形成することができる。
【産業上の利用可能性】
【００８９】
本発明は、苗を育苗ポットにて育苗した後、苗を育苗ポットから定植用の培地に移植して栽培する農作物の栽培に好適に利用することができる。
【符号の説明】
【００９０】
１    農作物用マルチシート
２    プランタ
３    培地
１１    小マルチシート
１２    大マルチシート
１３    小マルチシート
２１    作物植付孔
２２    作物通過孔
２３    切れ目
３１    親株
３２    ランナ
３３    苗
３４    育苗ポット（育苗容器）
【図１】
2016015902.tif 000003
【図２】
2016015902.tif 000004
【図３】
2016015902.tif 000005
【図４】
2016015902.tif 000006
【図５】
2016015902.tif 000007
【図６】
2016015902.tif 000008
【図７】
2016015902.tif 000009